(57)【特許請求の範囲】
【請求項１】
容器本体の前壁と、容器本体の相対する側壁と、前記容器本体の前壁に平行で、且つ、前記容器本体の相対する側壁を連結する架橋リブと、容器本体の底板とにより囲繞された空間には、前記容器本体の前壁と前記架橋リブとを連結する複数の連結リブが形成されているとともに、前記容器本体の相対する側壁と前記連結リブとが補強リブにより連結されており、また、前記空間に挿入されるキャスターの取付金具は、天板と長側板と短側板と前記天板の一部を上方に折り返すことにより形成された複数個の垂直板とを有し、更に、前記容器本体の連結リブに、ボルト・ナットを介して、前記取付金具の垂直板を取着することにより、前記取付金具が、容器本体に取り付けられており、更にまた、前記容器本体に取り付けられた前記取付金具には、ボルト・ナットを介して、キャスターが取り付けられていることを特徴とする車輪付き容器。
【発明の詳細な説明】
【０００１】
【発明の属する技術分野】
本発明は、ゴミや日用雑貨や種々部品や食料品や生鮮野菜等の種々の物品を収容するための移動可能な車輪付き容器に関するものである。
【０００２】
【従来の技術】
従来、容器本体や蓋を合成樹脂で成形するとともに、容器本体の下部に車輪を配設し、作業者が容易に移動可能な車輪付き容器が知られている。
【０００３】
従来の車輪付き容器に配設された車輪は、容器本体の後壁の近傍に配設された大きな車輪と、前壁の近傍に配設されたキャスターとから構成されており、キャスターは、容器本体の前壁及び底部に垂設された垂直リブに穿設されたボルト孔に、キャスターの取り付けボルトを挿通し、ボルトをナットで螺合することにより取着されている（例えば、特開２００１−３１０８０２号公報等）。
【０００４】
【発明が解決しようとする課題】
上述した従来の車輪付き容器においては、金属製のボルトやナットが、容器本体の前壁の外側に突出しているために、ボルトやナットが、雨水や洗浄水により錆びて、腐食するという問題があった。
【０００５】
また、容器本体の前壁の外側に突出しているボルトやナットに、作業者の衣服等が引っ掛かったり、ボルトやナットに、障害物が引っ掛かるという問題があった。
【０００６】
更に、ボルトやナットが、容器本体の前壁の外側に突出しているために、車輪付き容器の外観状の美観が損なわれるとともに、車輪付き容器の洗浄性が悪いという問題があった。
【０００７】
本発明の目的は、上述した従来の車輪付き容器が有する課題を解決することにある。
【０００８】
【課題を解決するための手段】
本発明は、上述した目的を達成するために、容器本体の前壁と、容器本体の相対する側壁と、前記容器本体の前壁に平行で、且つ、前記容器本体の相対する側壁を連結する架橋リブと、容器本体の底板とにより囲繞された空間には、前記容器本体の前壁と前記架橋リブとを連結する複数の連結リブが形成されているとともに、前記容器本体の相対する側壁と前記連結リブとが補強リブにより連結されており、また、前記空間に挿入されるキャスターの取付金具は、天板と長側板と短側板と前記天板の一部を上方に折り返すことにより形成された複数個の垂直板とを有し、更に、前記容器本体の連結リブに、ボルト・ナットを介して、前記取付金具の垂直板を取着することにより、前記取付金具が、容器本体に取り付けられており、更にまた、前記容器本体に取り付けられた前記取付金具に、ボルト・ナットを介して、キャスターを取り付けるように構成したものである。
【０００９】
【実施例】
以下に、本発明の実施例について説明するが、本発明の趣旨を越えない限り何ら、本実施例に限定されるものではない。
【００１０】
１は、底板１ａ、前壁１ｂ、後壁１ｃ及び相対する側壁１ｄとを有する合成樹脂で一体に成形された容器本体であり、２は、枢軸ロッド３を軸に回動可能な、同じく、合成樹脂で一体に成形された蓋部材である。
【００１１】
４は、相対する側壁１ｄを貫通するように配設された軸５に挿着されるとともに、軸５の両端部に刻設されたネジ部５ａに、ナット６を螺合することにより取着された、後壁１ｃ側に位置する大車輪である。なお、７は、側壁１ｄだけでは、強度的に弱い場合に形成された補強用の軸取り付けリブであり、必要に応じて、適宜、形成することができる。
【００１２】
前壁１ｂ及び前壁１ｂ側に位置する相対する側壁１ｄには、それぞれ、底板１ａを越えて下方に延在する下方延長部１ｂ１、１ｄ１が形成されている。８は、前壁１ｂの近傍で、前壁１ｂに平行で、且つ、側壁１ｄの下方延長部１ｄ１を連結するように、底板１ａに垂設された架橋リブである。９は、前壁１ｂの下方延長部１ｂ１と架橋リブ８とを連結する、下方延長部１ｂ１及び架橋リブ８に略垂直な連結リブである。なお、１０は、架橋リブ８と後壁１ｃの下方延長部１ｃ１とを連結するとともに、架橋リブ８及び下方延長部１ｃ１に略垂直な底板１ａに垂設された補強リブである。
【００１３】
１１は、取付金具であり、取付金具１１は、平面形状が長方形に形成された天板１１ａと、天板１１ａの長辺から垂設された相対する長側板１１ｂと、天板１１ａの短辺から垂設された相対する短側板１１ｃとを有している。また、天板１１ａの所定箇所には、天板１１ａの一部を上方に折り返すことにより形成された垂直板１１ｄが形成されている。本実施例には、所定の間隔を置いて、２個の垂直板１１ｄが形成されているが、３個以上形成することもできる。１１は、天板１１ａの一部を上方に折り返すことにより形成された垂直板１１ｄの後に形成された透孔である。１１ｆは、垂直板１１ｄに溶接や蝋着等の適当な手段により取着されたナットであり、垂直板１１ｄには、ナット１１ｆの螺子孔に対応して、透孔１１ｄ１が穿設されている。また、取付金具１１の短側板１１ｃ側に位置する天板１１ａの両端部には、それぞれ、４個のナット１１ｇが、溶接や蝋着等の適当な手段により取着されており、天板１１ａには、ナット１１ｇの螺子孔に対応して、透孔が穿設されている。
【００１４】
取付金具１１を、容器本体１に取り付ける順序について説明する。
【００１５】
先ず最初に、取付金具１１を、容器本体１の前壁１ｂと相対する側壁１ｄと架橋リブ８とにより囲繞された空間に挿入するとともに、取付金具１１の垂直板１１ｄが、前壁１ｂの下方延長部１ｂ１と架橋リブ８とを連結する所定の連結リブ９に対峙するように配置する。この際、ナット１１ｆが取着された面と反対側の垂直板１１ｄの面が、連結リブ９に対峙するように配置する。次いで、取付金具１１の垂直板１１ｄが対峙している連結リブ９に穿設されているとともに、垂直板１１ｄに取着された透孔１１ｄ１に対応して穿設された透孔９ａ及び垂直板１１ｄの透孔１１ｄ１に、ボルトｂ１を挿通し、ボルトｂ１を、取付金具１１の垂直板１１ｄに取着されたナット１１ｆに螺合させることにより、取付金具１１を、容器本体１に取り付ける。
【００１６】
キャスターＣは、公知のように、方形状の台座ｃ１と、台座ｃ１の裏面に取着された一対の支持部ｃ２と、一対の支持部ｃ２を架橋するように取着された軸ｃ３に挿着された車輪ｃ４から構成されており、また、台座ｃ１の四隅には、ボルトが挿通可能な透孔ｃ５が穿設されている。
【００１７】
次に、上述したキャスターＣを、容器本体１に取着された取付金具１１に取り付ける手段を説明する。
【００１８】
取付金具１１の短側板１１ｃ側に位置する天板１１ａの両端部に、キャスターＣを、キャスターＣの台座ｃ１が、取付金具１１の天板１１ａの裏面に当接するように配置する。次いで、キャスターＣの台座ｃ１の四隅に穿設された透孔ｃ５と、取付金具１１の天板１１ａに取着されたナット１１ｇの螺子孔に対応して穿設された透孔とが一致するように、キャスターＣを配置した後、ボルトｂ２を、キャスターＣの台座ｃ１の四隅に穿設された透孔ｃ５と取付金具１１の天板１１ａに取着されたナット１１ｇの螺子孔に対応して穿設された透孔とに挿通するとともに、ボルトｂ２を、取付金具１１の天板１１ａに取着されたナット１１ｇに螺合させることにより、キャスターＣを、容器本体１に取着された取付金具１１に取り付ける。
【００１９】
上述したように、容器本体１の前壁１ｂと、前壁１ｂの近傍に形成された架橋リブ８とを連結する連結リブ９に、上述したような構成を有する取付金具１１を取着し、取付金具１１に、キャスターＣを取り付けるように構成したので、従来の車輪付き容器のように、容器本体１の前壁１ｂに、金属製のボルトやナットが突出するようなことがなく、従って、ボルトやナットが、雨水や洗浄水により錆びて、腐食するというような問題を解決することができるとともに、ボルトやナットが、容器本体の前壁１ｂに突出しているために、車輪付き容器の外観状の美観が損なわれるようなこともない。
【００２０】
なお、図２に示されている１２は、容器本体１の相対する側壁１ｄと、側壁１ｄに対峙する連結リブ９とを連結する補強リブであり、このような補強リブ１２は、他の連結リブ９と交差するとともに、相対する側壁１ｄを連結するように形成することもできる。
【００２１】
【発明の効果】
本発明は、以上説明した構成を有しているので、以下に記載する効果を奏するものである。
【００２２】
容器本体の前壁と該前壁の近傍に形成された架橋リブとを連結する連結リブに、取付金具を取着するとともに、前記取付金具に、キャスターを取り付けるように構成したので、容器本体の前壁に、金属製のボルトやナットが突出するようなことがなく、従って、ボルトやナットが、雨水や洗浄水により錆びて、腐食するというような問題を解決することができるとともに、ボルトやナットが、容器本体の前壁に突出しているために、車輪付き容器の外観状の美観が損なわれるようなこともない。
【図面の簡単な説明】
【図１】図１は本発明の車輪付き容器の斜視図である。
【図２】図２は本発明の車輪付き容器の裏面から見た分解斜視図である。
【図３】図３は本発明の車輪付き容器を構成する取付金具の斜視図である。
【図４】図４は本発明の車輪付き容器の前壁に沿った垂直断面図である。
【符号の説明】
Ｃ・・・・・・・・・・・キャスター
ｂ１、ｂ２・・・・・・・ボルト
１・・・・・・・・・・・容器本体
４・・・・・・・・・・・大車輪
８・・・・・・・・・・・架橋リブ
９・・・・・・・・・・・連結リブ
１１・・・・・・・・・・取付金具
【図１】
0004000264.tif 000002
【図２】
0004000264.tif 000003
【図３】
0004000264.tif 000004
【図４】
0004000264.tif 000005